(57)【要約】      （修正有）【課題】  各画像形成部の像担持体上の露光走査方向に対するずれ量を示すずれ量情報に基づき、先ず色ずれの補正を行い、その後で、ハーフトーン処理を行なうことで、色ずれ補正によるモアレ発生を抑制し、良好な画像を形成する。【解決手段】  画像形成エンジンには各画像形成部における像担持体５１−Ｃ、Ｍ，Ｙ，Ｋにおける理想とするスキャン方向に対する実際のずれ量を記憶する色ずれ量記憶部４０３Ｃ、Ｍ、Ｙ、Ｋを有する。この色ずれ量に基づき各色成分毎の色ずれ補正量を算出する。算出された色ずれ補正量に基づいてビットマップメモリ４０６Ｃ、Ｍ、Ｙ、Ｋからの画像データを読み出す際の座標を変換し、色ずれ補正を行い、その後で、階調補正を行なう。階調補正後のデータはハーフトーン処理部４０９Ｃ、Ｍ、Ｙ、Ｋにてハーフトーン処理が行わう。【選択図】  図４
2006162698.tif 000002
【特許請求の範囲】
【請求項１】
像担持体、当該像担持体に走査露光する露光部、並びに、露光によって生成された静電潜像を記録材で顕像化する現像部を有する画像形成部を、記録媒体の搬送方向に沿って並設された画像形成装置であって、
各画像形成部で形成することになる画像データを記憶する画像データ記憶手段と、
各画像形成部の前記像担持体上の露光走査方向に対するずれ量を示すずれ量情報を記憶する露光ずれ量記憶手段と、
該露光ずれ量記憶手段に記憶された露光ずれ量情報に基づいて、前記画像データ記憶手段の読出しアドレスの座標を変換し、当該変換後のアドレス情報に従って画像データを読出す座標変換手段と、
該座標変換手段によって読出された画素データの階調を、前記変換後のアドレス情報に基づいて補正する補正手段と、
該補正手段で得られた画素データに対して所定のハーフトーン処理を行なうハーフトーン手段と、
該ハーフトーン手段で得られた画素データを該当する画像形成部の露光部の露光制御信号として出力する出力手段と
を備えることを特徴とする画像形成装置。
【請求項２】
前記露光ずれ量記憶手段は、
像担持体の理想とする走査露光方向である主走査方向の複数の位置に関する情報と、各位置における前記理想とする走査露光と実際の露光との距離に関する情報とを記憶することを特徴とする請求項１に記載の画像形成装置。
【請求項３】
前記座標変換手段は、
前記露光ずれ量記憶手段に記憶された位置情報と、距離情報に基づき、各位置情報で示される各領域における露光ずれの傾き情報を算出する算出手段と、
前画像データ記憶手段より露光方向である主走査方向のＸアドレスを発生するＸアドレス発生手段と、
該Ｘアドレス発生手段でＸアドレスが更新される度に、当該Ｘアドレスが、前記算出手段で算出された、どの領域にあるのかを判定する判定手段と、
該判定手段で判定した結果に基づき、該当する傾き情報を選択する選択手段と、
該選択手段で選択した傾き情報を、累積加算する加算手段と、
該加算手段で加算した結果の整数部分をＹアドレスのオフセット値とするＹアドレスを発生するＹアドレス発生手段とを備え、
前記補正手段は、前記加算手段の累積加算された小数点以下の値に基づいて副走査方向に連続する２画素のデータに基づいて階調補正後の画素データを生成する
ことを特徴とする請求項２に記載の画像形成装置。
【請求項４】
像担持体、当該像担持体に走査露光する露光部、並びに、露光によって生成された静電潜像を記録材で顕像化する現像部を有する画像形成部を、記録媒体の搬送方向に沿って並設された画像形成装置の制御方法であって、
各画像形成部で形成することになる画像データを所定の画像データ記憶手段に格納する工程と、
各画像形成部の前記像担持体上の露光走査方向に対するずれ量を示すずれ量情報を記憶する所定の露光ずれ量記憶手段より前記露光ずれ量情報を読み出す読出し工程と、
読み出された露光ずれ量情報に基づいて、前記画像データ記憶手段の読出しアドレスの座標を変換し、当該変換後のアドレス情報に従って画像データを読出す座標変換工程と、
該座標変換工程によって読出された画素データの階調を、前記変換後のアドレス情報に基づいて補正する補正工程と、
該補正工程で得られた画素データに対して所定のハーフトーン処理を行なうハーフトーン工程と、
該ハーフトーン工程で得られた画素データを該当する画像形成部の露光部の露光制御信号として出力する出力工程と
を備えることを特徴とする画像形成装置の制御方法。
【請求項５】
前記露光ずれ量記憶手段は、
像担持体の理想とする走査露光方向である主走査方向の複数の位置に関する情報と、各位置における前記理想とする走査露光と実際の露光との距離に関する情報とを記憶することを特徴とする請求項４に記載の画像形成装置の制御方法。
【請求項６】
前記座標変換工程は、
前記露光ずれ量記憶手段に記憶された位置情報と、距離情報に基づき、各位置情報で示される各領域における露光ずれの傾き情報を算出する算出工程段と、
前画像データ記憶手段より露光方向である主走査方向のＸアドレスを発生するＸアドレス発生工程と、
該Ｘアドレス発生工程によるＸアドレスが更新される度に、当該Ｘアドレスが、前記算出工程で算出された、どの領域にあるのかを判定する判定工程と、
該判定工程で判定した結果に基づき、該当する傾き情報を選択する選択工程と、
該選択工程で選択した傾き情報を、累積加算する加算工程と、
該加算工程で加算した結果の整数部分をＹアドレスのオフセット値とするＹアドレスを発生するＹアドレス発生工程とを備え、
前記補正工程は、前記加算工程の累積加算された小数点以下の値に基づいて副走査方向に連続する２画素のデータに基づいて階調補正後の画素データを生成する
ことを特徴とする請求項５に記載の画像形成装置の制御方法。
【発明の詳細な説明】
【技術分野】
【０００１】
本発明は、複数の像担持体を並置し、各像担持体で現像される色成分像となる記録材を、搬送されてくる記憶媒体上に転写してカラー画像を形成する技術に関するものである。
【背景技術】
【０００２】
従来、電子写真方式を用いたカラー画像形成装置として、１つの感光体に対し複数の現像器を用いて各々の色成分による現像を行うものが知られている。この装置は、「露光−現像−転写」の工程を色成分の数だけ繰り返し、その都度、１枚の転写紙上に色画像を重ね合わせて形成し、これを定着させることによりフルカラー画像を得ものである。
【０００３】
この方式によれば、１枚のプリント画像を得るために、３回から４回（黒色を用いた場合）の画像形成工程を繰り返す必要があり、画像形成が完了するまでに時間がかかるという欠点があった。
【０００４】
この欠点を補うための方式として、複数の感光体を用い、各色ごとに得られた顕像を、転写紙の上に順次重ね合わせ、１回の通紙でフルカラープリントを得る技術が知られている。
【０００５】
この方式によれば、スループットを大幅に短縮できるが、一方で、各感光体の位置精度や径のずれ、光学系の位置精度ずれなどに起因して、各色の転写紙上での位置ずれによる色ずれという問題が生じ、高品位なフルカラー画像を得ることが困難になるという問題がある。
【０００６】
この色ずれを防止するための方法としては、例えば、転写紙や転写手段の一部をなす搬送ベルト上にテストトナー像を形成し、これを検知して、この結果をもとに各光学系の光路を補正したり、各色の画像書き出し位置を補正する技術が知られている（特許文献１）。
【０００７】
また、各色毎の画像データの出力座標位置を、レジストレーションずれを補正した出力座標位置に自動変換し、該変換された各色の画像データに基づいて修正手段が変調された光ビームの位置を色信号の最小ドット単位よりも小さい量で修正する技術も知られている（特許文献２）。
【特許文献１】特開昭６４−４０９５６号公報
【特許文献２】特開平８−８５２３７号公報
【発明の開示】
【発明が解決しようとする課題】
【０００８】
しかしながら、上記特許文献１には、次のような問題が残る。
【０００９】
第１に、光学系の光路を補正するためには、光源やf―θレンズを含む補正光学系、光路内のミラー等を機械的に動作させ、テストトナー像の位置を合わせ込む必要がある。つまり、高精度な可動部材が必要となり、高コスト化にならざるをえない。更に、補正の完了までに時間がかかるため、頻繁に補正を行うことが不可能となる。また、光路長のずれは機械の昇温などにより時間とともに変化することがあり、このような場合には光学系の光路を補正することで色ずれを防止するのは困難である。
【００１０】
第２に、画像の書き出し位置を補正することでは、左端および左上部の位置ずれ補正は可能であるが、光学系の傾きを補正したり、光路長のずれによる倍率ずれを補正することは出来ない。
【００１１】
また、特許文献２であるが、中間階調処理を行った画像に対して各色毎の画像データの出力座標位置を補正することによって、中間階調画像の網点の再現性が劣化してしまい、色むらが生じモアレが顕在化してしまう可能性があるという問題点がある。
【００１２】
一例を図１に示し、説明する。入力画像１０１は一定の濃度値を持つ画像である。該入力画像１０１に対してある色ずれ補正を行った画像１０２が実際に印字されると、画像濃度値と該画像濃度値に対するトナー濃度の関係がリニアでないために、該入力画像１０１が一定の濃度値を持つ画像であるのにかかわらず、色ずれ補正後画像を印字すると濃度値が一定でない画像が印字される。従って、このような不均一な濃度値が周期的に繰り返された場合、モアレが顕在化してしまい、良好なカラー画像が得られないことになる。
【００１３】
本発明は、上記の問題点を解決するためになされるもので、各画像形成部の像担持体上の露光走査方向に対するずれ量を示すずれ量情報に基づき、記録すべき画像データの読出し座標位置を求めて、先ず色ずれの補正を行い、その後で、ハーフトーン処理を行なって記録することになり、色ずれ補正によるモアレ発生を抑制し、良好な画像を形成する技術を提供しようとするものである。
【課題を解決するための手段】
【００１４】
かかる課題を解決するため、例えば本発明の画像形成装置は以下の構成を備える。すなわち、
像担持体、当該像担持体に走査露光する露光部、並びに、露光によって生成された静電潜像を記録材で顕像化する現像部を有する画像形成部を、記録媒体の搬送方向に沿って並設された画像形成装置であって、
各画像形成部で形成することになる画像データを記憶する画像データ記憶手段と、
各画像形成部の前記像担持体上の露光走査方向に対するずれ量を示すずれ量情報を記憶する露光ずれ量記憶手段と、
該露光ずれ量記憶手段に記憶された露光ずれ量情報に基づいて、前記画像データ記憶手段の読出しアドレスの座標を変換し、当該変換後のアドレス情報に従って画像データを読出す座標変換手段と、
該座標変換手段によって読出された画素データの階調を、前記変換後のアドレス情報に基づいて補正する補正手段と、
該補正手段で得られた画素データに対して所定のハーフトーン処理を行なうハーフトーン手段と、
該ハーフトーン手段で得られた画素データを該当する画像形成部の露光部の露光制御信号として出力する出力手段とを備える。
【発明の効果】
【００１５】
本発明によれば、各画像形成部の像担持体上の露光走査方向に対するずれ量を示すずれ量情報に基づき、記録すべき画像データの読出し座標位置を求めて、先ず色ずれの補正を行い、その後で、ハーフトーン処理を行なって記録することになり、色ずれ補正によるモアレ発生を抑制し、良好な画像を形成することが可能になる。
【発明を実施するための最良の形態】
【００１６】
以下、添付図面に従って本発明にかかる実施形態を詳細に説明する。
【００１７】
図２は本実施形態における画像形成装置の構造断面図である。
【００１８】
図示のように、本実施形態では４ドラム方式のカラーレーザビームプリンタの構造を有する。
【００１９】
この画像形成装置は、図示の右側面下部に転写材カセット５３を装着している。転写材カセット５３にセットされた記録媒体（記録紙、透過シート等）は、給紙ローラ５４によって一枚ずつ取り出され、搬送ローラ対５５−ａ、５５−ｂによって画像形成部に給送される。画像形成部には、記録媒体を搬送する転写搬送ベルト１０が複数の回転ローラによって記録媒体搬送方向（図１では右から左方向）に扁平に張設され、その最上流部においては、記録媒体が搬送ベルト１０に静電吸着される。またこのベルト搬送面に対向して４個のドラム状の像担持体としての感光体ドラム１４−Ｃ、Ｙ、Ｍ、Ｋが直線状に配設されて画像形成部を構成している（ここで、Ｃはシアン、Ｙはイエロー、Ｍはマゼンタ、Ｋはブラックの各色成分を示している）。
【００２０】
なお、各色成分毎の画像形成部は、搭載するトナーの色が異なるだけで、構造上の違いがないので、色成分Ｃについて説明する。
【００２１】
Ｃ色用の画像形成部は、感光ドラム１４−Ｃの表面を一様に帯電させる帯電器５０−Ｃ、Ｃ色トナーを収納し、感光ドラム１４−Ｃ上に生成された静電潜像を顕像（現像）する現像器５２−Ｃ、並びに、露光部５１−Ｃを有する。現像ユニット５２−Ｃと帯電器５０−Ｃとの間には、所定の間隙が設けらている。帯電器５０−Ｃによってその表面が均一に帯電した感光ドラム１４−Ｃ上に、上記の間隙を介してレーザスキャナからなる露光部５１−Ｃからのレーザ光を図面に垂直な方向に走査露光することで、走査露光した部分を非露光部分と異なる帯電状態、すなわち、静電潜像を生成する。現像器５２−Ｃは上記の静電潜像にトナーを転移させて顕像化（トナー像化；現像）する。
【００２２】
転写搬送ベルト１０の搬送面を挟んで転写部５７−Ｃが配置されている。感光体ドラム１４−Ｃの周面上に形成（現像）されたトナー象は、それらに対応する転写部５７で形成される転写電界によって、搬送されてきた記録媒体上に電荷吸着されて、記録媒体面上に転写される。
【００２３】
上記処理を、他の色成分Ｙ、Ｍ、Ｋについても同様に行なうことで、Ｃ，Ｍ，Ｙ，Ｋの各色トナーが記録媒体に次々と転写されることになる。この後、定着器５８により、記録媒体上の各色トナーを熱溶融して定着させ排紙ローラ対５９−ａ、５９−ｂによって機外に排出される。
【００２４】
なお、上記は記録媒体上に各色成分のトナー像を転写する例であった。しかし、転写搬送ベルト上に各色成分のトナー像を転写したと、その転写搬送ベルトに生成されたトナー像を記録媒体に再度転写する（二次転写）する構成でも構わない。この場合の転写ベルトを中間転写ベルトという。
【００２５】
図３は、像担持体である感光ドラム１４−Ｃ（Ｍ，Ｙ，Ｋでも良い）に走査される主走査線のずれを説明するイメージ図である。図示の水平方向が、レーザ光の走査方向を示し、垂直方向が感光ドラムの回転方向（記録媒体の搬送方向でもある）を示している。
【００２６】
図中の３０１が理想的な主走査線を示している。３０２は感光体ドラム１４の位置精度や径のずれ、および各色の露光部５１−Ｃにおける光学系の位置精度ずれに起因した右上がりの傾き、および湾曲が発生している実際の主走査線の例を示している。
【００２７】
このような主走査線の傾き、湾曲が、何れかの色の画像形成部において存在する場合、転写媒体に複数色のトナー像を一括転写した際に、色ずれが発生することになる。
【００２８】
本実施形態では、主走査方向（Ｘ方向）において、印字領域の走査開始位置となるポイントＡを基準点として、複数のポイント（ポイントＢ、ポイントＣ、ポイントＤ）で、理想的な主走査線３０１と実際の主走査線３０２の副走査方向のずれ量を測定し、そのずれ量を測定したポイントごとに複数の領域（Pa-Pb間を領域１、Pb-Pc間を領域２、Pc-Pd間を領域３とする）に分割して考え、各ポイント間を結ぶ直線（Lab、Lbc、Lcd）により、各領域の主走査線の傾きを近似するものとする。従って、ポイント間のずれ量の差（領域1はm1、領域2はm2-m1、領域3はm3-m2）が正の値である場合、該当領域の主走査線は右上がりの傾きを有することを示しており、負の値である場合、右下がりの傾きを有することを示す。なお、実施形態では、領域の数を３つとしているが、これは便宜的なものであり、この数に限定されるものではない。
【００２９】
図４は、本実施形態において行われる上記走査線の傾き、湾曲により発生する色ずれを補正する色ずれ補正処理の動作を説明するためのブロック図である。
【００３０】
図中、４０１はプリンタエンジンで、コントローラ４０２で生成された画像ビットマップ情報をもとに実際に印字処理を行う。コントローラ４０２は基板に収容され、装置に収容した際に、プリンタエンジン４０１との電気的接続が行われる。
【００３１】
４０３Ｃ、Ｍ、Ｙ、Ｋは色毎の色ずれ量記憶部であり、装置製造段階で各色毎の画像形成部毎の上記ずれ量情報を書き込み、保持するものである。一例としては、ＥＥＰＲＯＭ等の書き込み可能で不揮発性メモリで実現できよう。なお、図示では各色成分毎に色ずれ量記憶部を設けるように示しているが、記憶する情報量は十分に少ないので１つのメモリ素子で全色成分の色ずれ量を記憶しても構わない。
【００３２】
本実施形態における色ずれ量記憶部４０３Ｃ、Ｍ、Ｙ、Ｋは、図３で説明した、複数のポイントで測定した実際の主走査線３０２と、理想的な主走査線３０１の副走査方向のずれ量を主走査線の傾き、および湾曲を示す情報として色ずれ量情報を記憶する。
【００３３】
図５は、色ずれ量記憶部４０３Ｃ（Ｍ、Ｙ、Ｋも同様であるが、格納される情報は個体差によって異なる）に記憶される情報の例を示しており、Ｌ１乃至Ｌ３、及び、ｍ１乃至ｍ３は図３の同符号と同じ意味である。
【００３４】
なお本実施形態では、色ずれ量記憶手段に、理想的な主走査線と、実際の主走査線のずれ量を記憶するようにしているが、実際の主走査線の傾き、および湾曲の特性が識別可能な情報であれば、これに限ったものではない。また、色ずれ量記憶部４０３Ｃ，Ｍ，Ｙ，Ｋに記憶される情報は、先に説明したように、製造工程において、上記ずれ量を測定し、装置固有の情報として予め記憶するものである。但し、本装置自体に、上記ずれ量を検出する検出機構を準備して、各色の像担持体ごとにずれを測定するための所定のパターンを形成し、上記検出機構により検出したずれ量を記憶するような構成でも構わない。
【００３５】
コントローラ４０２は、色ずれ量記憶部４０３Ｃ，Ｍ，Ｙ，Ｋに記憶された主走査線のずれ量を相殺するように、各色成分毎の画像データを補正して印刷処理を行う。以下は実施形態におけるコントローラ４０２の説明である。
【００３６】
画像生成部４０４は、不図示の外部装置（例えばコンピュータ装置）等から受信する印刷データ（ＰＤＬデータ、イメージデータ等）より、印刷処理が可能なラスターイメージデータを生成し、ＲＧＢデータ（各８ビットの２５６階調）としてドット毎に出力する。この処理は、公知のものであるので詳述は省略する。
【００３７】
色変換部４０５は、このＲＧＢデータを、プリンタエンジン４０２で処理可能なＣＭＹＫ空間のデータ（各８ビット）に変換（ＬＯＧ変換、ＵＣＲ処理で実現する）し、後段の各記録色成分毎のビットマップメモリ４０６Ｃ，Ｍ，Ｙ，Ｋに蓄積する。ビットマップメモリ４０６Ｃ（Ｍ、Ｙ、Ｋも同様）は、印刷処理を行うラスターイメージデータを一旦蓄積するものであり、１ページ分のイメージデータを蓄積するページメモリを有する。但し、複数ライン分のデータを記憶するバンドメモリのいずれでも構わない。説明を単純なものとするため、ここでは１ページ分のＣ，Ｍ，Ｙ，Ｋのビットマップデータを記憶する容量を有するものとして説明する。
【００３８】
色ずれ補正量演算部４０７Ｃ、Ｍ、Ｙ、Ｋは、色ずれ量記憶部４０３Ｃ，Ｍ，Ｙ，Ｋに蓄積された主走査線のずれ量の情報に基づき、主走査方向の座標情報に応じた副走査方向の色ずれ補正量を算出して、その結果を色ずれ補正部４０８Ｃ、Ｍ、Ｙ、Ｋにそれぞれ出力し、設定させる。
【００３９】
主走査方向の座標データをｘ（ドット）、副走査方向色ずれ量をｙ（ドット）とした場合、図３を基にした各領域の演算式を以下に示すようなものとなる。なお、実施形態における記録解像度は600dpiとする。
【００４０】
領域１：y = ｘ * (m1 / L1)
領域２：y = m1 * 23.622 + (ｘ - L1 * 23.622) * ((m2 - m1)/(L2 - L1))
領域３：y = m2 * 23.622 + (ｘ - L2 * 23.622) * ((m3 - m2)/(L3 - L2))    …(1)
ここで、L1、L2、L3は、印刷開始位置から、領域１、領域２、領域３の右端までの主走査方向の距離（単位mm）である。m1、m2、m3は領域１、領域２、領域３の右端における理想的な主走査線３０１と、実際の主走査線３０２のずれ量である。
【００４１】
色ずれ補正部４０８Ｃ、Ｍ、Ｙ、Ｋは、上記式（１）の主走査線の傾き、歪みによる色ずれを補正するために、それぞれ色ずれ量演算部４０７Ｃ、Ｍ、Ｙ、Ｋによってドット毎に算出される色ずれ補正量に基づいて、ビットマップメモリ４０６に蓄積されたビットマップデータの出力タイミングの調整、および画素毎の露光量の調整を行い、各色のトナー像を、転写媒体に転写したときの色ずれ（レジストレーションずれ）を防ぐものである。
【００４２】
色ずれ補正部４０８Ｃ、Ｍ、Ｙ、Ｋは、夫々の補正量が異なるものの、構成そのものは同じであるので、ここでもＣ成分の色ずれ補正部４０８Ｃについて説明することとする。  図８は実施形態における色ずれ補正部４０８Ｃのブロック構成図である。
【００４３】
図示するように、実施形態における色ずれ補正部４０８Ｃは、座標カウンタ８０１、座標変換部８０２、ラインバッファ８０３、及び階調補正部８０４で構成される。
【００４４】
座標カウンタ８０１は、先に示した式（１）に基づき、色ずれ補正処理を行う主走査方向、および副走査方向の座標を生成するに必要な情報を座標変換部８０２に出力すると共に、副走査方向のずれの度合（後述するように小数点以下の値）を示す情報を階調補正部８０４に出力する。
【００４５】
座標変換部８０２は、座標カウンタ８０１からの主走査方向の座標位置データ（Ｘアドレス）、および副走査方向の座標位置データ（Ｙアドレス）を用いて、ビットマップメモリ４０６Ｃに対して読出しアクセスを行なう。この結果、読み出されたデータ（ここではＣ成分データ）はラインバッファ８０３に出力される。
【００４６】
ラインバッファ８０３には、図示のように、レジスタ８０５と１ライン分の記憶領域を有するＦＩＦバッファ８０６が設けられ、副走査方向に隣接する２画素のＣ成分データが階調補正部８０４に出力され、階調補正が行われる。
【００４７】
図１１は、実施形態における座標カウンタ８０１、座標変換部８０２の具体的例を示している。
【００４８】
先ず、前提として色ずれ補正量演算部４０７ｃは、色ずれ補正量記憶部４０３ｃに記憶されたｍｍ単位の距離Ｌ１、Ｌ２、Ｌ３に基づき、Ｌ１、Ｌ２、Ｌ３に相当する水平方向（理想とする走査方向）の画素位置Ｌ１’、Ｌ２’、Ｌ３’を算出する。また、色ずれ補正量演算部４０７ｃは、各領域のずれ量を結ぶ直線の傾きを算出する。ここで言う傾きとは画素単位の傾きであるのでΔｙとして表現する。
【００４９】
図５の例の場合、
領域１：Δｙ1 ＝ m1 / L1
領域２：Δｙ2 ＝(m2 - m1)/(L2 - L1)
領域３：Δｙ3 ＝(m3 - m2)/(L3 - L2)
となる。
【００５０】
図１１におけるレジスタ８２には、上記Ｌ１’、Ｌ２’、Ｌ３’を格納し、レジスタ８４には各領域のΔｙ1,Δｙ2,Δｙ3（正負の符号付き）を格納する。
【００５１】
Ｘアドレス発生器８１はレーザ光の１スキャン分の補正データを作成する際にリセットされ、画素クロックｃｌｋを加算していくことでビットマップメモリ４０６Ｃに対する水平方向の読出しアドレス、すなわち、Ｘアドレスを発生する。この結果、画素クロックｃｌｋが入力される度にＸアドレスは０、１、２…と増加していくことになる。
【００５２】
コンパレータ８３はＸアドレス発生器８３からのＸアドレスの値と、レジスタＬ１’、Ｌ２’、Ｌ３’とをそれぞれ比較することで、現在のＸアドレスが図３の領域１、２、３のいずれの範囲にあるかを判定し、その結果を出力する。３つの状態が取り得るわけであるから、出力信号が２ビットで十分である。
【００５３】
セレクタ８５は、上記コンパレータからの信号に従って、レジスタ８４に格納されている傾きΔｙ1,Δｙ2,Δｙ3の中の１つを選択し、出力する。要するに、現在のＸアドレスが領域１の範囲（Ｘ≦Ｌ１’）にある場合には、Δｙ1を選択し、出力することになる。また、Ｌ１＜Ｘ≦Ｌ２’の場合にはΔｙ2を選択出力し、Ｌ２’＜Ｘの場合にはΔｙ1を選択出力することになる。
【００５４】
カウンタ８６は、１スキャンに先立ってリセットされ、カウンタ８６から出力される傾きΔｙを内部のレジスタ８６ａに累積加算し、その値を保持する。傾きΔｙは小数点を含むので、このレジスタ８６ａも適度のビット数を持つことになる。また、カウンタ８６は、自身が保持するレジスタ８６の整数部分をＹアドレス発生器８７に出力し、小数点以下の値を階調補正部８０４に出力する。
【００５５】
Ｙアドレス発生器８７は、１スキャンに先立って、ビットマップメモリ４０６Ｃにおける基準Ｙアドレスが設定され、その基準Ｙアドレスとカウンタ８６からの整数値とを加算し、その結果をビットマップメモリ４０６Ｃに対する読出しＹアドレスとして発生する。
【００５６】
以上の結果、先に示した式（１）での整数のＸ、Ｙアドレスを生成し、該当する位置のＣ成分のデータをラインバッファ８０３に読込むことが可能になる。
【００５７】
ここで、より具体的な例を説明することととする。今、基準Ｙアドレスが“１００”であるとする。つまり、１００回めのスキャンを行なうためのデータを生成する場合である。そして、カウンタ８６内のレジスタ８６ａに格納されている値が“０．１”であるとする。
【００５８】
このとき、理想的にはビットマップメモリ４０６ＣのＹ座標が“１００．１”の位置にある画素データを読込めば良いが、ビットマップメモリ４０６Ｃの画素位置は整数で表わされるので、Ｙ座標“１００．１”というのは存在しない。座標“１００．１”を見方を変えると、アドレス“１００”と“１０１”との間にあり、求める画素値（階調補正後の画素値）の９０％はアドレス“１００”の画素値の影響を受け、残りの１０％がアドレス“１０１”の画素値の影響を受けていると考えて良い。つまり、小数点で示される値に依存した重み付け係数で階調補正後の値を算出すれば良いことになる。式で示すと、次の通りである。
【００５９】
Ｈx,y＝Ｃx,y * β ＋ Ｃx,y+1 * α          (2)
ここでカウンタ８６から出力される小数点部分の値をγで表わしたとき、
β＝１−γ
α＝γ
の関係にある。
【００６０】
上記処理を行なっているのが、図８の階調補正部８０４である。この階調補正部８０４はカウンタ８６から出力される小数点以下の値γを入力し、乗算器８０４ａ、８０４ｂで乗算すべき補正係数α、βを求め、それぞれで乗算させる。そして、その乗算結果を加算器８０４ｃで加算することで、上記（２）式の演算を行い、階調補正後のデータを出力する。
【００６１】
ここで注意したい点は、毎スキャンする度に、基準となるＹアドレスは“１”だけ増加していくものの、その基準Ｙアドレスに対する色ずれ補正量、すなわち、オフセット量は同じになる点である。
【００６２】
座標変換部８０２で生成されるＸアドレスをＰ、Ｙアドレスの基準アドレスをＱとし、そのＹアドレスのオフセットが０．１であるとすると、レジスタ８０５にはビットマップメモリ４０６Ｃの座標（Ｐ，Ｑ）のデータが読込まれることになる。また、この際に補間処理に参照する画素位置は（Ｐ、Ｑ＋１）になり、レジスタ８０５を注目画素位置と見た時、座標（Ｐ、Ｑ＋１）のデータは未だ読込まれていないことになる。
【００６３】
かかる点、実施形態では、図８に示すように、ＦＩＦＯバッファ８０６より出力されるデータを注目画素（Ｐ，Ｑ）のＣ成分データとし、レジスタ８０５より出力されるデータが（Ｐ，Ｑ＋１）の関係にしている。また、先に説明したように、Ｙアドレスのオフセット量は、毎スキャンする毎に同じであるので、座標カウンタ８０１からの小数点を利用して階調補間が可能になる。
【００６４】
実施形態における色ずれ補正部４０８Ｃの構成と動作は上記の通りであるが、図６を参照して更に詳しく説明する。
【００６５】
図示において符号６０が色ずれ量情報記憶部４０３Ｃに記憶された情報に基づいてプロットした色ずれ曲線を示している。領域１の傾きはΔｙ１、領域２の傾きはΔｙ２である。
【００６６】
また、符号６１はビットマップメモリ４０６Ｃにおけるデータ格納状況を示し、同図の符号６２は画素単位での色ずれ補正をおこなった画像データを像担持体に露光したの露光イメージである。また、ビットマップメモリ４０６Ｃの副走査の正方向は、符号６１で示すように図面に対して下方向であることを示している。
【００６７】
図示のように、Ｘアドレスが更新されていく最中、Δｙ１が順次累積加算されていくが、アドレスＸa以前では整数桁に桁上がりが発生しないので、Ｙアドレスはｎライン目のままである。
【００６８】
そしてアドレスＸａになったところで、整数桁への桁上がりが発生し、Ｙアドレスがｎ＋１ライン目を指し示すように更新されることを示している。
【００６９】
この整数桁上がりが発生するのは、図示の場合ＸアドレスがＸｂ、Ｘｃ、Ｘｄ…の時になる。ここで注意したい点は、桁上がり発生する周期は領域１内と領域２内とは異なる点である。理由はそれぞれの領域での傾きが異なることに起因する。
【００７０】
図７は、実施形態における階調補正部８０４がおこなう画素単位未満の色ずれ補正、つまり色ずれの補正傾き△ｙの小数点以下のずれ量を補正する動作内容を説明するためのイメージ図である。小数点以下のずれ量の補正は、副走査方向の前後のドットの露光比率を調整することによりおこなわれる。
【００７１】
図７（ａ）は、右上がりの傾きを有する主走査線のイメージである。図７（ｂ）は階調補正前の水平な直線のビットマップイメージであり、図７（ｃ）は同図（ａ）の主走査線の傾きによる色ずれを相殺するための補正イメージである。図７（ｃ）の補正イメージの生成を実現するために、副走査方向の前後のドットの露光量調整をおこなう。図７（ｄ）は色ずれの補正傾き△ｙと階調補正をおこなうための補正係数の関係を表した表である。ｋは色ずれ補正量△ｙの整数部分（小数点以下を切り捨て）であり、画素単位での副走査方向の補正量を表す。βとαは、画素単位未満の副走査方向の補正をおこなうための補正係数で、その関係は先に示した式（２）の通りである。すなわち、αは先行するドット（図８のレジスタ８０５から出力されるデータに対する分配率、βは注目ドットの分配率を表す。
【００７２】
図７（ｅ）は、同図（ｄ）の補正係数に従って、副走査方向の前後のドットの露光比率を調整するための階調補正をおこなったビットマップイメージである。図７(ｆ)は、階調補正されたビットマップイメージの像担持体での露光イメージであり、主走査ラインの傾きが相殺され、水平な直線が形成されることになる。
【００７３】
以上実施形態における色ずれ補正部４０８Ｃについて説明したが、他の色成分Ｍ、Ｙ、Ｋの色ずれ補正部４０８Ｍ、Ｙ、Ｋについても同様に行なうことで、記録色間の色ずれが最大でも１画素分未満に設定することができることになる。
【００７４】
各色ずれ補正部４０８Ｃ、Ｍ、Ｙ、Ｋから出力された色ずれ並びに階調補正済データは、後段のハーフトーン処理部４０９Ｃ，Ｍ，Ｙ，Ｋにおいて、所定のハーフトーンパターンを用いてハーフトーン処理が行われ、ＰＷＭ処理部４１０Ｃ、Ｍ，Ｙ，Ｋでにおいてパルス幅変調処理が行われ、プリンタエンジン１に出力され像担持体に対する露光処理が行われる。
【００７５】
以上に示したように、画像ビットマップより、各主走査位置での副走査方向のすれ量を補正するための補正量を算出し、それを補正画像ビットマップとして再構成すれば、主走査線の傾き、歪みによる色ずれが補正された画像を作成することが出来る。
【００７６】
次に、入力画像に対してハーフトーン処理→色ずれ補正の順で処理を行った場合と、入力画像に対して色ずれ補正→ハーフトーン処理の順で行った場合について比較結果を示すこととする。
【００７７】
図９は、入力画像に対してハーフトーン処理→色ずれ補正の順で処理を行った場合の一例である。同図の符号９００は、濃度５０％一定濃度の入力画像である。入力画像９００に対して、ある４×４のハーフトーンパターンを用いてハーフトーン処理すると画像９０１が得られる。この画像９０１が求める画像でもあるが、この画像９０１に対して色ずれ補正を行った後でも、画像９０１と同等の画像が得られれば、画像劣化がなく色ずれ補正が実現できたと言える。ここで、該ハーフトーン処理後の画像に対して、上方向（垂直方向）に１／２画素色ずれ補正を行った場合に得られるのが図示の符号９０２の画像である。図からわかるように、ハーフトーン処理後の画像に色ずれ補正を行うことにより、ハーフトーン処理による中間階調画像の網点の再現性劣化が生じているのがわかる。
【００７８】
これに対し、図１０は入力画像に対して色ずれ補正→ハーフトーン処理の順で処理を行った場合の一例である。図示の符号１００が入力画像であり、前述した画像９００と同様に一定濃度（50％）の画像である。この入力画像１００に対して、上方向（垂直方向）に１／２画素色ずれ補正を行った場合に得られるのが画像１０１である。色ずれ補正を行うことにより、上下１ライン部分に２５％の濃度の画像が生じる結果となる。この色ずれ補正後の画像に対してハーフトーン処理を行った結果が、図示の画像１０２である。画像１０１において上下１ライン分に濃度２５％の画像が生じたために、上下１ラインにおいては、画像９０１と異なる画像となっているが、その他の部分に関しては画像９０１と同様の画像が得られており、画像１０２には、画像９０２に見られたような中間階調画像の網点の劣化も見られておらず、良好なカラー画像を得ることが出来ている。
【００７９】
なお、実施形態におけるハーフトーン処理は、入力した画像データから４×４（一般にｍ×ｎ）のパターンを生成するものであるが、４×４であるので１６通りの階調表現が可能になる。また、４×４の１つのマス目に対して４ビット（＝１６階調）の多値データを割り当て、これをＰＷＭ処理することで、結果的に４×４のパターンで２５６階調を表現できることになる。
【００８０】
また、上記実施形態では、色ずれ補正部４０８Ｃ（他の色成分も同様である）の構成として図８並びに図１１を例にして説明した。図１１の構成の場合、カウンタ８６内のレジスタ８６ａにΔｙを順に累積加算することで、Ｙアドレスのオフセット（ずれ）量を求めたが、レジスタ８６ａの小数点以下の演算精度（ビット数）は高いほど都合が良い。換言すれば、レジスタ８６ａのビット数が少ないと、Δｙを累積加算していくと次第に丸め誤差が発生し、そのレジスタの値が図６の傾きΔｙ１、Δｙ２の軌跡上からはずれる可能性がある。
【００８１】
従って、ビットマップメモリ４０６Ｃから読込むためのＸアドレスが更新される度に、式（１）に従ってその都度演算するようにしても構わない。累積加算による丸め誤差は発生しないので、正しい軌跡で示される位置の画素データを読み出すことが可能になる。
【００８２】
また、図４に係る構成は、ソフトウェア（ファームウェア）でもって実現しても良い。この場合には、同図に従って画像データが流れるような処理を実現すれば良いし、上記実施形態の記載からすれば当業者は容易に実施できるであろう。
【図面の簡単な説明】
【００８３】
【図１】従来例における濃度ムラを示す図ある。
【図２】実施形態における画像形成装置の断面構造図である。
【図３】実施形態における感光ドラムに走査される主走査線のずれを説明する図である。
【図４】本実施形態の画像形成装置におけるコントローラとエンジンのブロック構成図である。
【図５】色ずれ量記憶部に記憶されている情報の例を示す図である。
【図６】座標変換部における色ずれ補正量の整数部分のずれ量を補正する動作を説明するための図である。
【図７】実施形態における階調補正部が画素単位未満の色ずれ補正する動作を示す図である。
【図８】実施形態における色ずれ補正部のブロック構成図である。
【図９】ハーフトーン処理後に色ずれ補正を行なう場合の各工程での画像の例を示す図である。
【図１０】色ずれ補正処理後にハーフトーン処理を行なう場合の各工程での画像の例を示す図である。
【図１１】図８における座標カウンタ８０１、座標変換部８０２の具体的なブロック構成図である。
【図１】
2006162698.tif 000003
【図２】
2006162698.tif 000004
【図３】
2006162698.tif 000005
【図４】
2006162698.tif 000006
【図５】
2006162698.tif 000007
【図６】
2006162698.tif 000008
【図７】
2006162698.tif 000009
【図８】
2006162698.tif 000010
【図９】
2006162698.tif 000011
【図１０】
2006162698.tif 000012
【図１１】
2006162698.tif 000013